(57)【要約】【課題】設置場所の自由度が増し、利便性が向上する薄型テレビを提供する。【解決手段】ローダー１０が固定されたターンテーブル９が有する穴部９ａが回動自在に軸部６ｂに嵌合し、ローダー１０に固定されたツマミ１２の回転によりローダー１０は回動し、ディスク挿入口１１ｂ、１０ａまたはディスク挿入口１１ｃ、１０ａを介してディスクはローダー１０に挿入される。【選択図】図２
2008066771.tif 000002
【特許請求の範囲】
【請求項１】
ディスク装置を備えた薄型テレビにおいて、
前記ディスク装置と一体的に回動する穴部と、該穴部が回動自在に嵌合する軸部とを備え、
前記軸部の断面形状は、円と該円の円周の一部から外側に突出する略四角形とからなる形状であり、
前記穴部は、前記軸部のうち断面形状が略四角形である部分と接触して該穴部の回動を制限する回動制限部を有し、
さらにツマミと筐体とを備え、
前記ツマミは、前記ディスク装置と一体的に回動する本体部と、該本体部の外周に少なくとも一つ設けられた穴部の内部に設けられる弾性部材と、該弾性部材と接続される爪部とを有し、
前記筐体は、前記本体部が嵌合する嵌合部分と前記爪部が収められる少なくとも二つの収容部分とからなる穴部を有し、
前記爪部の少なくとも一つが前記収容部分の少なくとも一つに収められるような回動位置に前記本体部が位置する場合に、ディスクを前記ディスク装置に装填可能である、ことを特徴とする薄型テレビ。
【請求項２】
ディスク装置を備えた薄型テレビにおいて、
前記ディスク装置と一体的に回動する軸部と、該軸部が回動自在に嵌合する穴部とを備え、
前記軸部の断面形状は、円と該円の円周の一部から外側に突出する略四角形とからなる形状であり、
前記穴部は、前記軸部のうち断面形状が略四角形である部分と接触して該軸部の回動を制限する回動制限部を有し、
さらにツマミと筐体とを備え、
前記ツマミは、前記ディスク装置と一体的に回動する本体部と、該本体部の外周に少なくとも一つ設けられた穴部の内部に設けられる弾性部材と、該弾性部材と接続される爪部とを有し、
前記筐体は、前記本体部が嵌合する嵌合部分と前記爪部が収められる少なくとも二つの収容部分とからなる穴部を有し、
前記爪部の少なくとも一つが前記収容部分の少なくとも一つに収められるような回動位置に前記本体部が位置する場合に、ディスクを前記ディスク装置に装填可能である、ことを特徴とする薄型テレビ。
【請求項３】
ディスク装置を備えた薄型テレビにおいて、前記ディスク装置が回動することを特徴とする薄型テレビ。
【請求項４】
前記ディスク装置の回動範囲が制限されていることを特徴とする請求項３に記載の薄型テレビ。
【請求項５】
前記ディスク装置と一体的に回動する穴部と、該穴部が回動自在に嵌合する軸部とを備え、
前記軸部の断面形状は、円と該円の円周の一部から外側に突出する略四角形とからなる形状であり、
前記穴部は、前記軸部のうち断面形状が略四角形である部分と接触して該穴部の回動を制限する回動制限部を有する、ことを特徴とする請求項４に記載の薄型テレビ。
【請求項６】
前記ディスク装置と一体的に回動する軸部と、該軸部が回動自在に嵌合する穴部とを備え、
前記軸部の断面形状は、円と該円の円周の一部から外側に突出する略四角形とからなる形状であり、
前記穴部は、前記軸部のうち断面形状が略四角形である部分と接触して該軸部の回動を制限する回動制限部を有する、ことを特徴とする請求項４に記載の薄型テレビ。
【請求項７】
ツマミと筐体とを備え、
前記ツマミは、前記ディスク装置と一体的に回動する本体部と、該本体部の外周に少なくとも一つ設けられた穴部の内部に設けられる弾性部材と、該弾性部材と接続される爪部とを有し、
前記筐体は、前記本体部が嵌合する嵌合部分と前記爪部が収められる少なくとも二つの収容部分とからなる穴部を有し、
前記爪部の少なくとも一つが前記収容部分の少なくとも一つに収められるような回動位置に前記本体部が位置する場合に、ディスクを前記ディスク装置に装填可能である、ことを特徴とする請求項３に記載の薄型テレビ。
【発明の詳細な説明】
【技術分野】
【０００１】
本発明は、ディスク装置を備えた薄型テレビに関する。
【背景技術】
【０００２】
昨今、液晶方式やプラズマ方式の薄型テレビが普及しており、ＤＶＤ等の再生記録が可能な薄型テレビも登場している。このような薄型テレビとして、例えば特許文献１には、次のようなものが開示されている。
【０００３】
キャビネット内後方にスロットイン式ＤＶＤレコーダが縦置き状に配置され、該スロットイン式ＤＶＤレコーダに対向してキャビネットの上部開口に着脱可能に天板部が取り付けられ、該天板部の上面中央に平面視横長矩形状の凹部が設けられ、該凹部の底面にディスク挿入口が形成され、該ディスク挿入口を開閉する開閉蓋が凹部内にはめ込まれている。ディスクをスロットイン式ＤＶＤレコーダに挿入する場合は、開閉蓋を手動で開き、開放されたディスク挿入口を介してディスクをスロットイン式ＤＶＤレコーダに挿入し、手動で開閉蓋を閉めてディスク挿入口を閉鎖する。また、該特許文献１の薄型テレビのようにディスクが上側から挿入されるのではなく、横側からディスクが挿入されるタイプの薄型テレビも登場している。
【特許文献１】実用新案登録第３１１１７９７号公報
【発明の開示】
【発明が解決しようとする課題】
【０００４】
しかし、上記特許文献１の薄型テレビでは、ユーザが所望する設置場所に薄型テレビを設置すると薄型テレビの上方に棚や壁等の障害物が位置するような場合、ディスクを挿入することが不可能であり、薄型テレビをその設置場所には設置することができず、利便性が低い。また、上記従来の横側からディスクが挿入されるタイプの薄型テレビでも、ユーザが所望する設置場所に薄型テレビを設置すると薄型テレビの横側に壁等の障害物が位置するような場合、ディスクを挿入することが不可能であり、薄型テレビをその設置場所には設置することができず、やはり利便性が低い。
【０００５】
本発明は、上記問題点を鑑み、設置場所の自由度が増し、利便性が向上する薄型テレビを提供することを目的とする。
【課題を解決するための手段】
【０００６】
上記目的を達成するために本発明の薄型テレビは、ディスク装置を備えた薄型テレビにおいて、前記ディスク装置が回動することを特徴としている。
【０００７】
このような構成によれば、ディスクをディスク装置に装填可能な方向が複数となり、薄型テレビの設置場所の自由度が増し、利便性が向上する。
【０００８】
また、本発明の薄型テレビは、前記ディスク装置の回動範囲が制限されていることを特徴としている。このような構成によれば、ディスク装置の過剰な回動による配線の断線を防ぐことができる。
【０００９】
このような薄型テレビとしては、例えば、前記ディスク装置と一体的に回動する穴部と、該穴部が回動自在に嵌合する軸部とを備え、
前記軸部の断面形状は、円と該円の円周の一部から外側に突出する略四角形とからなる形状であり、
前記穴部は、前記軸部のうち断面形状が略四角形である部分と接触して該穴部の回動を制限する回動制限部を有するような構成をとればよい。
【００１０】
また、前記ディスク装置と一体的に回動する軸部と、該軸部が回動自在に嵌合する穴部とを備え、
前記軸部の断面形状は、円と該円の円周の一部から外側に突出する略四角形とからなる形状であり、
前記穴部は、前記軸部のうち断面形状が略四角形である部分と接触して該軸部の回動を制限する回動制限部を有するような構成をとってもよい。
【００１１】
また、本発明の薄型テレビは、ツマミと筐体とを備え、
前記ツマミは、前記ディスク装置と一体的に回動する本体部と、該本体部の外周に少なくとも一つ設けられた穴部の内部に設けられる弾性部材と、該弾性部材と接続される爪部とを有し、
前記筐体は、前記本体部が嵌合する嵌合部分と前記爪部が収められる少なくとも二つの収容部分とからなる穴部を有し、
前記爪部の少なくとも一つが前記収容部分の少なくとも一つに収められるような回動位置に前記本体部が位置する場合に、ディスクを前記ディスク装置に装填可能である、ことを特徴としている。
【００１２】
このような構成によれば、ディスクを装填可能な位置にディスク装置を位置決めすることがユーザにとって容易となる。また、ディスクを装填可能な位置からのディスク装置の位置ずれを防止することができる。
【発明の効果】
【００１３】
本発明の薄型テレビによれば、設置場所の自由度が増し、利便性が向上する。
【発明を実施するための最良の形態】
【００１４】
以下、本発明に係る実施形態について図面を参照し説明する。図１は、本発明に係る一実施形態である薄型テレビのフロントキャビネットおよびリアキャビネットを外したところの概略背面図（図１（ａ））と概略側面断面図（図１（ｂ））を示す。
【００１５】
本発明に係る薄型テレビは、液晶モジュール２、板金７、スタンド８、ターンテーブル９、ローダー１０を有する。液晶モジュール２は、液晶セル３、拡散板４、蛍光管５、フレーム６を有する。フレーム６は、左右に伸び一面が開口した略箱形形状をしている筐体部６ａを有し、その内部に液晶セル３、拡散板４、蛍光管５が設けられる。また、筐体部６ａの背面左上側に背面に略垂直方向に軸部６ｂが突設される。軸部６ｂは、断面形状が円と該円の円周の一部から外側に突出する略長方形とからなる形状をしている。フレーム６は樹脂製であり、筐体部６ａと軸部６ｂは一体成形される。
【００１６】
板金７は、略長方形状の金属板であり、上記軸部６ｂの断面形状と同様の断面形状の穴部７ａが形成される。スタンド８は、樹脂製の一体成形品であり、固定部８ａ、脚部８ｂ、支持部８ｃからなる。固定部８ａは、略直方体状の板形状をしており、該固定部８ａの底面の両端から２本の脚部８ｂが底面に略垂直に突出し、各脚部８ｂに支持部８ｃが固定される。固定部８ａには、上記軸部６ｂの断面形状と同様の断面形状の穴部８ｄが形成される。
【００１７】
そして、板金７の穴部７ａにフレーム６の軸部６ｂを嵌合させるようにして板金７が筐体部６ａの背面に固定される。また、スタンド８の固定部８ａに形成される穴部８ｄにフレーム６の軸部６ｂを嵌合させるようにして固定部８ａに板金７が固定される。この状態で、軸部６ｂの一部が固定部８ａより突出する形となる。このとき、軸部６ｂの断面形状の略長方形部分が薄型テレビの背面から視て左側を向く。
【００１８】
ターンテーブル９は、略直方体状の板形状をしており、底面には穴部９ａが形成される。該穴部９ａの断面形状は、円弧Ｃ１と、該円弧Ｃ１の各端部につながる各線分Ｌ１、Ｌ２と、該各線分Ｌ１、Ｌ２の円弧Ｃ１とはつながっていない各端部同士を結び円弧Ｃ１の内周方向と内周方向が対向するような円弧Ｃ２とで囲まれる形状となっている。
【００１９】
ローダー１０は、ＤＶＤからのデータ読み出しやＤＶＤへのデータ記録を行うスロットイン方式のディスク装置であり、外観が略直方体状の筐体を有し、該筐体内に不図示のローディングメカ、スピンドルモータ、光ピックアップ、スレッドモータ、基板等が設けられる。基板には、光ピックアップがＤＶＤから読み出した信号を処理する信号処理回路、ＤＶＤへ記録させるデータを記録用に処理する信号処理回路、各種モータやピックアップアクチュエータを駆動する駆動回路等が設けられる。また、ディスクを挿入するためのディスク挿入口１０ａが筐体の側面に形成され、筐体の上面には後述するツマミを取り付けるための略円柱状の突起部１０ｂが突設される。
【００２０】
そして、穴部９ａが形成される面と対向するターンテーブル９の上面と、突起部１０ｂが形成される面と対向するローダー１０の筐体の底面とが当接するようターンテーブル９にローダー１０が固定される。そして、ターンテーブル９が有する穴部９ａに、スタンド８の固定部８ａから突出する軸部６ｂの一部が嵌合される。ここで、ローダー１０が有するディスク挿入口１０ａが薄型テレビの背面から視て左側を向いているとき、軸部６ｂの一部が有する断面が略長方形状である部分が、穴部９ａが有する線分Ｌ１を含む壁面に当接する。
【００２１】
また、ローダー１０が有する上記基板は、ローダー１０外部の薄型テレビが有するメイン基板（不図示）と配線で接続される。メイン基板には、マイコン、ＤＶＤ用データ圧縮伸長回路、テレビ用チューナ、テレビ用映像音声信号処理回路等が設けられる。
【００２２】
そして、不図示のフロントキャビネットが液晶モジュール２に取り付けられ、フロントキャビネットの後方にリアキャビネットが、スタンド８、ターンテーブル９、ローダー１０を覆うように取り付けられる。ここで、図２に、本発明に係る薄型テレビ１の背面図を示す。
【００２３】
リアキャビネット１１の背面には、穴部１１ａが形成される。該穴部１１ａは、円形部Ｃ３と、該円形部Ｃ３の円周上の互いに約９０度ずつずれた３箇所からそれぞれ円の外側方向に突出する略三角形状の突起部Ｔ１、Ｔ２、Ｔ３とからなる形状をしている。リアキャビネット１１の背面から視て、突起部Ｔ１は左方向、突起部Ｔ２は上方向、突起部Ｔ３は右方向に突出する形となる。そして、ツマミ１２が穴部１１ａにはめ込まれローダー１０に固定される。
【００２４】
図５に、ツマミ１２の詳細構成図を示す。ツマミ１２が有する本体部１２ａは略円柱状をしており、その外周面の約９０度ずれた２箇所に穴部１２ｅ、１２ｆが形成される。また、本体部１２ａの上面には、穴部１２ｅの形成方向に伸びる略直方体状の把持部１２ｄが突設される。また、穴部１２ｅ、１２ｆ内にはそれぞれスプリング１２ｇが設けられ、スプリング１２ｇの一端が穴部１２ｅ、１２ｆの底面に固定される。そして、穴部１２ｅ内のスプリング１２ｇの他端には略三角柱状の爪部１２ｂの側面が接続され、穴部１２ｆ内のスプリング１２ｇの他端には略三角柱状の爪部１２ｃの側面が接続される。また、把持部１２ｄが設けられる面に対向する本体部１２ａが有する底面略中央には、不図示の略円柱状の穴部が形成される。
【００２５】
そして、図２のように、ローダー１０が有するディスク挿入口１０ａがリアキャビネット１１の背面から視て左方向に向いた状態で、リアキャビネット１１が有する穴部１１ａの突起部Ｔ１内にツマミ１２が有する爪部１２ｂが収まり、突起部Ｔ２内に爪部１２ｃが収まるよう、円形部Ｃ３に本体部１２ａが嵌合され、ツマミ１２がローダー１０に固定される。このとき、上記ツマミ１２が有する略円柱状の穴部に、ローダー１０が有する突起部１０ｂが嵌合される。
【００２６】
また、ローダー１０が有するディスク挿入口１０ａがリアキャビネット１１の背面から視て左方向に向いた状態で、ディスク挿入口１０ａに対向するようディスク挿入口１１ｂがリアキャビネット１１の背面から視て左側面に形成されている。これにより、図２のように、リアキャビネット１１の背面から視て左側からディスク挿入口１１ｂおよびディスク挿入口１０ａを介してディスクＤをローダー１０内部に挿入させることができる。
【００２７】
ここで、ツマミ１２が有する把持部１２ｄをユーザが把持し、リアキャビネット１１の背面から視て反時計回りに把持部１２ｄを回転させようとしても、前述したように、軸部６ｂの一部が有する断面が略長方形状である部分が、穴部９ａが有する線分Ｌ１を含む壁面に当接しているため、ターンテーブル９、ローダー１０およびツマミ１２の回転は規制される。
【００２８】
そして、ツマミ１２が有する把持部１２ｄをユーザが把持し、リアキャビネット１１の背面から視て時計回りに把持部１２ｄを回転させると、スプリング１２ｇが圧縮変形し爪部１２ｂ、１２ｃが穴部１２ｅ、１２ｆ内へ変位し、軸部６ｂに対して穴部９ａが時計回りに回転し、ターンテーブル９およびローダー１０が時計回りに回転する（図３参照）。
【００２９】
そして、把持部１２ｄが回転開始から約９０度だけ時計回りに回転されると、スプリング１２ｇの付勢により爪部１２ｂが本体部１２ａより外側に飛び出し突起部Ｔ２内に収まり、爪部１２ｃが本体部１２ａより外側に飛び出し突起部Ｔ３内に収まり、軸部６ｂの一部が有する断面が略長方形状である部分が、穴部９ａが有する線分Ｌ２を含む壁面に当接し、ディスク挿入口１０ａが上方を向く（図４参照）。ここで、リアキャビネット１１の上面には、上方を向いたディスク挿入口１０ａに対向するようなディスク挿入口１１ｃが形成されている。これにより、図４のように、リアキャビネット１１の上方からディスク挿入口１１ｃおよびディスク挿入口１０ａを介してディスクＤをローダー１０内部に挿入させることができる。
【００３０】
ここで、リアキャビネット１１の背面から視てさらに時計回りに把持部１２ｄをユーザが回転させようとしても、前述したように、軸部６ｂの一部が有する断面が略長方形状である部分が、穴部９ａが有する線分Ｌ２を含む壁面に当接しているため、ターンテーブル９、ローダー１０およびツマミ１２の回転は規制される。
【００３１】
このように本発明によれば、ディスクのローダー１０への挿入可能方向が２方向となり、薄型テレビの設置可能な場所が増え、利便性が向上する。また、ローダー１０は回転範囲が約９０度の範囲に制限され、過剰な回転による配線の断線を防ぐことができる。また、ツマミ１２とリアキャビネット１１の穴部１１ａの構造により、ディスクを挿入可能な位置へのローダー１０の位置決めがユーザにとって容易となり、また、ディスクを挿入可能な位置からのローダー１０の位置ずれを防止することができる。
【００３２】
次に、本発明に係る薄型テレビの他の実施形態について以下説明する。本実施形態によっても前述と同様の効果を得ることができる。
【００３３】
図６は、本発明に係る他の実施形態である薄型テレビのフロントキャビネットおよびリアキャビネットを外したところの概略背面図（図６（ａ））と概略側面断面図（図６（ｂ））を示す。
【００３４】
本発明に係る薄型テレビは、液晶モジュール１３、板金１５、スタンド１６、ターンテーブル１７、ローダー１０を有する。液晶モジュール１３は、液晶セル３、拡散板４、蛍光管５、フレーム１４を有する。フレーム１４は、左右に伸び一面が開口した略箱形形状をしており、その内部に液晶セル３、拡散板４、蛍光管５が設けられる。また、フレーム１４の背面左上側に穴部１４ａが形成される。該穴部１４ａの断面形状は、円弧Ｃ３と、該円弧Ｃ３の各端部につながる各線分Ｌ３、Ｌ４と、該各線分Ｌ３、Ｌ４の円弧Ｃ３とはつながっていない各端部同士を結び円弧Ｃ３の内周方向と内周方向が対向するような円弧Ｃ４とで囲まれる形状となっている。
【００３５】
板金１５は、略長方形状の金属板であり、上記穴部１４ａと断面形状が同様の形状の穴部１５ａが形成される。スタンド１６は、樹脂製の一体成形品であり、固定部１６ａ、脚部１６ｂ、支持部１６ｃからなる。固定部１６ａは、略直方体状の板形状をしており、該固定部１６ａの底面の両端から２本の脚部１６ｂが底面に略垂直に突出し、各脚部１６ｂに支持部１６ｃが固定される。固定部１６ａには、上記穴部１４ａと断面形状が同様の形状の穴部１６ｄが形成される。
【００３６】
そして、板金１５の穴部１５ａとフレーム１４の穴部１４ａとが一致するようにして板金１５がフレーム１４の背面に固定される。また、スタンド１６の固定部１６ａに形成される穴部１６ｄと板金１５の穴部１５ａとが一致するようにして固定部１６ａに板金１５が固定される。
【００３７】
ターンテーブル１７は、略直方体状の板形状をした基台部１７ａを有し、該基台部１７ａの底面には該底面に略垂直方向に軸部１７ｂが突設される。軸部１７ｂは、断面形状が円と該円の円周の一部から外側に突出する略長方形とからなる形状をしている。
【００３８】
ローダー１０は、ＤＶＤからのデータ読み出しやＤＶＤへのデータ記録を行うスロットイン方式のディスク装置であり、構成は前述した通りである。
【００３９】
そして、軸部１７ｂが形成される面と対向する基台部１７ａの上面と、突起部１０ｂが形成される面と対向するローダー１０の筐体の底面とが当接するようターンテーブル１７にローダー１０が固定される。そして、穴部１４ａ、１５ａ、１６ｄからなる穴部に
軸部１７ｂが嵌合される。ここで、ローダー１０が有するディスク挿入口１０ａが薄型テレビの背面から視て左側を向いているとき、軸部１７ｂが有する断面が略長方形状である部分が左側を向き、穴部１４ａ、１５ａ、１６ｄからなる穴部が有する線分Ｌ３を含む壁面に当接する。
【００４０】
また、ローダー１０が有する上記基板は、ローダー１０外部の薄型テレビが有するメイン基板（不図示）と配線で接続される。
【００４１】
そして、不図示のフロントキャビネットが液晶モジュール１３に取り付けられ、フロントキャビネットの後方にリアキャビネットが、スタンド１６、ターンテーブル１７、ローダー１０を覆うように取り付けられる。ここで、図７に、本発明に係る他の実施形態の薄型テレビ１’の背面図を示す。
【００４２】
リアキャビネット１１の背面には、穴部１１ａが形成され、該穴部１１ａの形状は前述した通りである。そして、ツマミ１２が穴部１１ａにはめ込まれローダー１０に固定される。ツマミ１２の構成についても前述した通りである。図７のように、ローダー１０が有するディスク挿入口１０ａがリアキャビネット１１の背面から視て左方向に向いた状態で、リアキャビネット１１が有する穴部１１ａの突起部Ｔ１内にツマミ１２が有する爪部１２ｂが収まり、突起部Ｔ２内に爪部１２ｃが収まるよう、円形部Ｃ３に本体部１２ａが嵌合され、ツマミ１２がローダー１０に固定される。このとき、上記ツマミ１２が有する略円柱状の穴部に、ローダー１０が有する突起部１０ｂが嵌合される。
【００４３】
また、ローダー１０が有するディスク挿入口１０ａがリアキャビネット１１の背面から視て左方向に向いた状態で、ディスク挿入口１０ａに対向するようディスク挿入口１１ｂがリアキャビネット１１の背面から視て左側面に形成されている。これにより、図７のように、リアキャビネット１１の背面から視て左側からディスク挿入口１１ｂおよびディスク挿入口１０ａを介してディスクＤをローダー１０内部に挿入させることができる。
【００４４】
ここで、ツマミ１２が有する把持部１２ｄをユーザが把持し、リアキャビネット１１の背面から視て反時計回りに把持部１２ｄを回転させようとしても、前述したように、軸部１７ｂが有する断面が略長方形状である部分が、穴部１４ａ、１５ａ、１６ｄからなる穴部が有する線分Ｌ３を含む壁面に当接しているため、ターンテーブル１７、ローダー１０およびツマミ１２の回転は規制される。
【００４５】
そして、ツマミ１２が有する把持部１２ｄをユーザが把持し、リアキャビネット１１の背面から視て時計回りに把持部１２ｄを回転させると、スプリング１２ｇが圧縮変形し爪部１２ｂ、１２ｃが穴部１２ｅ、１２ｆ内へ変位し、穴部１４ａ、１５ａ、１６ｄからなる穴部に対して軸部１７ｂが時計回りに回転し、ターンテーブル１７およびローダー１０が時計回りに回転する（図８参照）。
【００４６】
そして、把持部１２ｄが回転開始から約９０度だけ時計回りに回転されると、スプリング１２ｇの付勢により爪部１２ｂが本体部１２ａより外側に飛び出し突起部Ｔ２内に収まり、爪部１２ｃが本体部１２ａより外側に飛び出し突起部Ｔ３内に収まり、軸部１７ｂが有する断面が略長方形状である部分が、穴部１４ａ、１５ａ、１６ｄからなる穴部が有する線分Ｌ４を含む壁面に当接し、ディスク挿入口１０ａが上方を向く（図９参照）。ここで、リアキャビネット１１の上面には、上方を向いたディスク挿入口１０ａに対向するようなディスク挿入口１１ｃが形成されている。これにより、図９のように、リアキャビネット１１の上方からディスク挿入口１１ｃおよびディスク挿入口１０ａを介してディスクＤをローダー１０内部に挿入させることができる。
【００４７】
ここで、リアキャビネット１１の背面から視てさらに時計回りに把持部１２ｄをユーザが回転させようとしても、前述したように、軸部１７ｂが有する断面が略長方形状である部分が、穴部１４ａ、１５ａ、１６ｄからなる穴部が有する線分Ｌ４を含む壁面に当接しているため、ターンテーブル１７、ローダー１０およびツマミ１２の回転は規制される。
【００４８】
なお、以上の実施形態は本発明の趣旨を逸脱しない範囲の変更が可能である。例えば、ローダー１０はスロットイン方式でなく、トレイ方式のディスク装置でもよい。また、液晶テレビではなく、プラズマテレビにも本発明は適用可能である。
【図面の簡単な説明】
【００４９】
【図１】は、本発明に係る一実施形態である薄型テレビのフロントキャビネットおよびリアキャビネットを外したところの（ａ）概略背面図と（ｂ）概略側面断面図である。
【図２】は、本発明に係る一実施形態である薄型テレビの背面図である。
【図３】は、本発明に係る一実施形態である薄型テレビの背面図である。
【図４】は、本発明に係る一実施形態である薄型テレビの背面図である。
【図５】は、ツマミの構造を示す図である。
【図６】は、本発明に係る他の実施形態である薄型テレビのフロントキャビネットおよびリアキャビネットを外したところの（ａ）概略背面図と（ｂ）概略側面断面図である。
【図７】は、本発明に係る他の実施形態である薄型テレビの背面図である。
【図８】は、本発明に係る他の実施形態である薄型テレビの背面図である。
【図９】は、本発明に係る他の実施形態である薄型テレビの背面図である。
【符号の説明】
【００５０】
１、１’    薄型テレビ
２、１３    液晶モジュール
３    液晶セル
４    拡散板
５    蛍光管
６、１４    フレーム
７、１５    板金
８、１６    スタンド
９、１７    ターンテーブル
１０    ローダー
１１    リアキャビネット
１２    ツマミ
【図１】
2008066771.tif 000003
【図２】
2008066771.tif 000004
【図３】
2008066771.tif 000005
【図４】
2008066771.tif 000006
【図５】
2008066771.tif 000007
【図６】
2008066771.tif 000008
【図７】
2008066771.tif 000009
【図８】
2008066771.tif 000010
【図９】
2008066771.tif 000011